(57)【特許請求の範囲】
【請求項１】
情報を受信する通信部と、
受信した情報の中で表示部に表示すべき情報が設定数より多い場合は前記表示部の前記情報が表示可能な情報表示領域に表示すべき情報を前記設定数ずつ切り替えながら表示させ、表示すべき情報が前記設定数以下の場合は前記情報表示領域に表示すべき情報をすべて表示させる一方、前記情報の内容を図形化したアイコンを表示可能な前記表示部のアイコン表示領域には表示すべき情報の数によらず表示すべき情報それぞれに相関するアイコンをすべて表示させる制御部とを備え、
前記制御部は、前記情報表示領域に表示している情報を別の情報に切り替えるとき、前記表示している情報を前記情報表示領域から前記アイコン表示領域の相関するアイコンに向かって移動させながら徐々に縮小させるか、または、前記別の情報を前記アイコン表示領域の当前記の情報に相関するアイコンから前記情報表示領域に向かって移動させながら徐々に拡大させる情報表示装置。
【請求項２】
前記制御部は、前記情報表示領域に表示している情報と、前記アイコン表示領域の当該情報に相関するアイコンとを図形でつなぐことにより、前記情報表示領域に表示している情報と、前記アイコン表示領域の当該情報に相関するアイコンとの相関関係を示すことを特徴とする請求項１記載の情報表示装置。
【請求項３】
前記表示部は、情報の種類に応じた複数のアイコン表示領域を有し、
前記制御部は、前記情報の種類に応じて、アイコンを表示させる前記アイコン表示領域を変更することを特徴とする請求項１記載の情報表示装置。
【請求項４】
前記制御部は、前記情報表示領域に表示している情報を別の情報に切り替えるとき、当該表示している情報を前記情報表示領域から前記アイコン表示領域の相関するアイコンに向かって移動させながら徐々に縮小させていく間、または縮小させた後、当該相関するアイコンの点滅、輝度の変更、色の変更、およびアニメーションのうちの少なくとも１つを行うことを特徴とする請求項１記載の情報表示装置。
【請求項５】
前記制御部は、前記情報表示領域に表示している情報に相関するアイコンの点滅、輝度の変更、色の変更、およびアニメーションのうちの少なくとも１つを行うことにより、前記情報表示領域に表示している情報と、前記アイコン表示領域の当該情報に相関するアイコンとの相関関係を示すことを特徴とする請求項１記載の情報表示装置。
【請求項６】
ユーザの視点を検出する視点検出部を備え、
前記制御部は、前記視点検出部が検出した視点の情報に基づいて、前記情報表示領域に表示している情報を前記ユーザが一定時間または一定回数以上見たと判定した場合に、別の情報に切り替えることを特徴とする請求項１記載の情報表示装置。
【請求項７】
ユーザの視点を検出する視点検出部を備え、
前記制御部は、前記視点検出部が検出した視点の情報に基づいて、前記アイコン表示領域に表示しているアイコンを前記ユーザが一定時間または一定回数以上見たと判定した場合に、当該アイコンに相関する情報を前記情報表示領域に表示することを特徴とする請求項１記載の情報表示装置。
【請求項８】
前記表示部は、自動車のインストルメントパネルに設置された液晶ディスプレイ、またはフロントウィンドウを利用したヘッド・アップ・ディスプレイから構成されていることを特徴とする請求項１記載の情報表示装置。
【請求項９】
前記表示部は、前記情報表示領域を有する第１の表示部と前記アイコン表示領域を有する第２の表示部とを有し、
前記制御部は、情報が設定数より多い場合は前記情報表示領域に当該情報を前記設定数ずつ切替ながら表示させ、当該情報が前記設定数以下の場合は前記情報表示領域に当該情報をすべて表示させる第１の制御部と、情報の数によらず、前記アイコン表示領域に当該情報それぞれに相関するアイコンをすべて表示させる第２の制御部とを有する請求項１記載の情報表示装置。
【請求項１０】
前記第１の制御部は、前記情報表示領域に表示する情報を前記第２の制御部へ通知し、当該情報に相関するアイコンの前記アイコン表示領域における表示位置を前記第２の制御部から受け付けて、当該表示位置に基づいて前記情報表示領域の情報と前記アイコン表示領域のアイコンとの相関関係を前記第１の表示部に表示させ、
前記第２の制御部は、前記情報表示領域に表示する情報を前記第１の制御部から受け付けると、当該情報に相関するアイコンの前記アイコン表示領域における表示位置を前記第１の制御部へ通知することを特徴とする請求項９記載の情報表示装置。
【請求項１１】
前記第１の制御部は、前記情報表示領域に表示する情報を前記第２の制御部へ通知し、
前記第２の制御部は、前記情報表示領域に表示する情報を前記第１の制御部から受け付けると、当該情報と前記アイコン表示領域のアイコンとの相関関係を前記第２の表示部に表示させることを特徴とする請求項９記載の情報表示装置。
【請求項１２】
前記第２の表示部は、ＬＥＤ（Ｌｉｇｈｔ Ｅｍｉｔｔｉｎｇ Ｄｉｏｄｅ）を用いて構成され、前記アイコンを表示する代わりに前記ＬＥＤを点灯することを特徴とする請求項９記載の情報表示装置。
【請求項１３】
情報を表示可能な情報表示領域および当該情報の内容を図形化したアイコンを表示可能なアイコン表示領域を有する表示部の表示を制御する情報表示方法であって、
通信部が、情報を受信し、
制御部が、受信した情報の中で表示部に表示すべき情報が設定数より多い場合は前記情報表示領域に表示すべき情報を前記設定数ずつ切り替えながら表示させ、表示すべき情報が前記設定数以下の場合は前記情報表示領域に当該情報をすべて表示させる一方、前記アイコン表示領域には表示すべき情報の数によらず表示すべき情報それぞれに相関するアイコンをすべて表示させ、前記情報表示領域に表示している情報を別の情報に切り替えるとき、前記表示している情報を前記情報表示領域から前記アイコン表示領域の相関するアイコンに向かって移動させながら徐々に縮小させるか、または、前記別の情報を前記アイコン表示領域の当前記の情報に相関するアイコンから前記情報表示領域に向かって移動させながら徐々に拡大させる情報表示方法。
【発明の詳細な説明】
【技術分野】
【０００１】
この発明は、複数の情報を表示可能な情報表示装置および情報表示方法に関する。
【背景技術】
【０００２】
自動車のインストルメントパネルでは、ドライバへ知らせるべき警告がある場合に、アイコン形状の警告灯を点灯することによって通知していた。しかし、自動車の警告灯は多くの種類があるので、ドライバが全ての警告を覚えているとは限らない。そのため、小さなアイコンで表示するだけでは、ドライバは何を警告されているか分からない場合があった。【０００３】
他方、インストルメントパネルに設置された液晶ディスプレイ、またはフロントウィンドウなどを利用したＨＵＤ（ヘッド・アップ・ディスプレイ）へ警告を表示する情報表示装置がある（例えば、特許文献１〜３参照）。この場合、大きな表示領域に警告の詳細を表示できるため、小さなアイコン形状の警告灯に比べて、ドライバへわかり易く表示できる利点がある。
【先行技術文献】
【特許文献】
【０００４】
【特許文献１】特開２００８−１１２０号公報
【特許文献２】特開２００９−１９６５９４号公報
【特許文献３】特開２００３−２９１６８８号公報
【発明の概要】
【発明が解決しようとする課題】
【０００５】
上記特許文献１〜３のような情報表示装置であっても、多数の警告を同時に表示するには表示領域が足りない。その対策として、複数の警告を一定間隔で切り替えて表示するという方法が考えられるが、ドライバは、警告の表示を一瞬見ただけでは、複数の警告が存在することを認識できないという課題があった。【０００６】
この発明は、上記のような課題を解決するためになされたもので、限られた表示領域に、情報の総数および内容をわかり易く表示する情報表示装置および情報表示方法を提供することを目的とする。
【課題を解決するための手段】
【０００７】
この発明の情報表示装置は、情報を受信する通信部と、受信した情報の中で表示部に表示すべき情報が設定数より多い場合は前記表示部の前記情報が表示可能な情報表示領域に表示すべき情報を前記設定数ずつ切り替えながら表示させ、表示すべき情報が前記設定数以下の場合は前記情報表示領域に表示すべき情報をすべて表示させる一方、前記情報の内容を図形化したアイコンを表示可能な前記表示部のアイコン表示領域には表示すべき情報の数によらず表示すべき情報それぞれに相関するアイコンをすべて表示させる制御部とを備え、前記制御部は、前記情報表示領域に表示している情報を別の情報に切り替えるとき、前記表示している情報を前記情報表示領域から前記アイコン表示領域の相関するアイコンに向かって移動させながら徐々に縮小させるか、または、前記別の情報を前記アイコン表示領域の当前記の情報に相関するアイコンから前記情報表示領域に向かって移動させながら徐々に拡大させるものである。
【０００９】
この発明の情報表示方法は、情報を表示可能な情報表示領域および当該情報の内容を図形化したアイコンを表示可能なアイコン表示領域を有する表示部の表示を制御する情報表示方法であって、通信部が、情報を受信し、制御部が、受信した情報の中で表示部に表示すべき情報が設定数より多い場合は前記情報表示領域に表示すべき情報を前記設定数ずつ切り替えながら表示させ、表示すべき情報が前記設定数以下の場合は前記情報表示領域に当該情報をすべて表示させる一方、前記アイコン表示領域には表示すべき情報の数によらず表示すべき情報それぞれに相関するアイコンをすべて表示させ、前記情報表示領域に表示している情報を別の情報に切り替えるとき、前記表示している情報を前記情報表示領域から前記アイコン表示領域の相関するアイコンに向かって移動させながら徐々に縮小させるか、または、前記別の情報を前記アイコン表示領域の当前記の情報に相関するアイコンから前記情報表示領域に向かって移動させながら徐々に拡大させるものである。
【発明の効果】
【００１０】
この発明によれば、アイコン表示領域に、複数の情報に相関する複数のアイコンを表示することにより、ユーザが情報の総数を認識し易くなる。また、情報表示領域に、複数の情報を切り替えながら表示することにより、表示領域が小さくとも情報の詳細を表示できるようになり、ユーザが情報の内容を把握し易くなる。さらに、ユーザがアイコンと情報の相関関係を学習することにより、アイコン表示領域に表示されたアイコンを見ただけで複数の情報の内容を把握できるようになる。従って、限られた表示領域に、情報の総数および内容をわかり易く表示する情報表示装置および情報表示方法を提供できる。
【図面の簡単な説明】
【００１１】
【図１】この発明の実施の形態１に係る情報表示装置の表示部の画面遷移例を示す図である。
【図２】実施の形態１に係る情報表示装置の表示部の画面表示例を示す図である。
【図３】実施の形態１に係る情報表示装置の構成を示すブロック図である。
【図４】実施の形態１に係る情報表示装置の制御部の動作を示すフローチャートである。
【図５】実施の形態１に係る情報表示装置の変形例を示し、アニメーションによって警告情報とアイコンの相関関係を示す場合の画面遷移例の図である。
【図６】実施の形態１に係る情報表示装置の変形例を示し、複数のアイコン表示領域を設けた表示部の画面表示例の図である。
【図７】実施の形態１に係る情報表示装置の変形例を示すブロック図である。
【図８】この発明の実施の形態２に係る情報表示装置の構成を示すブロック図である。
【図９】実施の形態２に係る情報表示装置が有する２つの表示部の配置例を示す図である。
【図１０】実施の形態２に係る情報表示装置の２つの表示部の画面表示例を示す図である。
【図１１】実施の形態２に係る情報表示装置の２つの制御部の動作を示すフローチャートである。
【発明を実施するための形態】
【００１２】
以下、この発明をより詳細に説明するために、この発明を実施するための形態について、添付の図面に従って説明する。
実施の形態１．
図１は、本実施の形態１に係る情報表示装置１の表示部２の画面遷移例を示す図である。
表示部２は、自動車のインストルメントパネルに設置された液晶ディスプレイ、およびフロントウィンドウを利用したＨＵＤなどによって構成される。この表示部２には、車両側から通知される警告の詳細な情報（以下、警告情報）を表示する情報表示領域２１と、警告情報の内容を図形化したアイコンを表示するアイコン表示領域２２がある。
【００１３】
車両側から３種類の警告情報（ブレーキ異常、充電異常、油圧低下）が通知されている場合、情報表示領域２１には、ブレーキ異常の詳細な内容を表したブレーキ異常警告情報Ａ１と、充電異常の詳細な内容を表した充電異常警告情報Ｂ１と、油圧低下の詳細な内容を表した油圧低下警告情報Ｃ１とが、一定時間ごとに切り替わりながら表示される。
表示部２が大きな領域を使って１種類の警告情報を表示することで、ドライバに対し、情報の内容を分かりやすく示すことができる。
【００１４】
一方、アイコン表示領域２２には、ブレーキ異常の警告情報を図形化したブレーキ異常アイコンＡ２と、充電異常の警告情報を図形化した充電異常アイコンＢ２と、油圧低下の警告情報を図形化した油圧低下アイコンＣ２とが、常時表示される。
表示部２が警告情報と相関するアイコンを複数表示することで、ドライバは発生している警告の数を容易に認識できる。
【００１５】
さらに、情報表示領域２１にブレーキ異常警告情報Ａ１が表示されている間、相関するブレーキ異常警告情報Ａ１とブレーキ異常アイコンＡ２を接続する噴出しＡ３が表示される。同様に、情報表示領域２１に充電異常警告情報Ｂ１が表示されている間は充電異常警告情報Ｂ１と充電異常アイコンＢ２を接続する噴出しＢ３が表示され、油圧低下警告情報Ｃ１が表示されている間は油圧低下警告情報Ｃ１と油圧低下アイコンＣ２を接続する噴出しＣ３が表示される。
情報表示装置１が警告情報とアイコンとの相関関係を表示することで、ドライバはアイコンが示す警告情報について学習でき、学習するとアイコンが表示されるだけでその意味が分かるようになる。つまり、ドライバは、アイコン表示領域２２に表示されたアイコンを見るだけで、複数の警告情報を理解することができる。
【００１６】
図２は、表示部２の画面表示例を示す図であり、この例では車両側から１種類の警告情報（充電異常）が通知されている。この場合、情報表示領域２１に充電異常警告情報Ｂ１が、アイコン表示領域２２に充電異常アイコンＢ２が、それぞれ常時表示される。また、充電異常警告情報Ｂ１と充電異常アイコンＢ２の相関関係を示す噴出しＢ３も常時表示される。
【００１７】
次に、図３のブロック図を参照して、情報表示装置１の構成を説明する。
情報表示装置１は、車両に搭載されるものであって、表示部２、描画部３、制御部４、および通信部５などから構成される。表示部２は、上述したように、液晶ディスプレイおよびＨＵＤなどにより構成される。描画部３は、表示部２に表示する映像を描画するものであり、例えばＧＰＵ（Ｇｒａｐｈｉｃｓ  Ｐｒｏｃｅｓｓｉｎｇ  Ｕｎｉｔ）などにより構成される。制御部４は、情報表示装置１の全体動作を制御するものであり、一般的にはＣＰＵ（Ｃｅｎｔｒａｌ  Ｐｒｏｃｅｓｓｉｎｇ  Ｕｎｉｔ）などにより構成される。通信部５は、情報表示装置１を搭載した車両の車載ネットワーク６を介して、当該車両側から警告情報などの情報を受信する。
【００１８】
この情報表示装置１の動作は、制御部４が司るため、この制御部４の動作に沿って説明する。
図４は、制御部４の動作を示すフローチャートである。
制御部４は、通信部５を通じて車載ネットワーク６から種々の情報を受信すると（ステップＳＴ１）、または後述するタイマイベントが発生すると（ステップＳＴ１１）、続くステップＳＴ２〜ＳＴ８の処理を実行する。ステップＳＴ２では、制御部４から描画部３へ描画バッファ初期化の指示を出力する。初期化の指示を受けた描画部３は、表示部２に表示する映像を描画するための描画バッファ（不図示）を初期化する。
【００１９】
他方、制御部４は、情報表示領域２１に表示する警告情報を切り替える時間を測定するタイマ（不図示）を有し、一定時間ごとにタイマイベントを発生させる。制御部４は、タイマイベントが発生する都度（ステップＳＴ１１）、描画バッファ初期化の指示を出力する（ステップＳＴ２）。このステップＳＴ１１の処理は、ステップＳＴ１〜ＳＴ８の処理と並行して行われる。
【００２０】
続いて制御部４は、ステップＳＴ１で受信した種々の情報の中に、表示部２に表示すべき警告情報が含まれているかチェックする（ステップＳＴ３）。警告情報がない場合は（ステップＳＴ３“ＮＯ”）、ステップＳＴ８へ進む。警告情報がある場合は（ステップＳＴ３“ＹＥＳ”）、その警告情報に相関するアイコンを描画バッファ上へ描画するよう、制御部４から描画部３へ指示する（ステップＳＴ４）。警告情報が複数ある場合、制御部４はその数だけアイコンの描画を指示する。アイコンの描画指示を受けた描画部３は、描画バッファ上のアイコン表示領域２２に対応する領域へ、アイコンを描画する。
【００２１】
ステップＳＴ４のアイコン描画指示としては、例えば図形描画命令またはビットマップ画像描画命令がある。図形描画命令には、パラメータとして、アイコンの各頂点の座標、塗りつぶしおよび線の色などが含まれる。ビットマップ画像描画命令には、パラメータとして、ビットマップ画像データ、描画位置などが含まれる。
図形描画命令またはビットマップ画像描画命令の元になるアイコンの図形データなどは、制御部４のメモリ（不図示）などに格納されている。
【００２２】
続いて制御部４は、情報表示領域２１に表示する警告情報を１つ選択する（ステップＳＴ５）。ステップＳＴ３のチェック時に警告情報が１つだった場合は一意に決まるが、複数あった場合は、一定時間ごとに異なる警告情報を表示するように、受信情報の中から警告情報を選択する。
図４のフローチャートでは、ステップＳＴ１１のタイマイベントが発生した場合に、続くステップＳＴ５にて制御部４が異なる警告情報を選択することにより、情報表示領域２１に表示する警告情報を切り替える。
【００２３】
続いて制御部４は、選択した警告情報を描画バッファ上に描画するよう、描画部３へ指示する（ステップＳＴ６）。警告情報の描画指示を受けた描画部３は、描画バッファ上の情報表示領域２１に対応する領域へ、警告情報を描画する。
【００２４】
ステップＳＴ６の警告情報描画指示としては、ステップＳＴ４のアイコン描画指示と同様に、例えば図形描画命令またはビットマップ画像描画命令がある。図形描画命令またはビットマップ画像描画命令の元になる警告情報の図形データおよびテキストデータなどは、制御部４のメモリなどに格納されている。
【００２５】
続いて制御部４は、ステップＳＴ５で選択した警告情報に相関するアイコンと、ステップＳＴ６で描画指示した警告情報との相関関係を表すために、噴出しなどを描画するよう描画部３へ指示する（ステップＳＴ７）。相関関係の描画指示を受けた描画部３は、描画バッファ上に警告情報と当該警告情報に相関するアイコンとを接続する噴出しを描画する。
【００２６】
ステップＳＴ７の相関関係描画指示としては、ステップＳＴ４のアイコン描画指示と同様に、例えば図形描画命令またはビットマップ画像命令がある。例えば、図１の噴出しＡ３によって相関関係を表現する場合、制御部４から描画部３へ、噴出しとなる三角形の各頂点座標と塗りつぶしの色などのパラメータを出力する。
【００２７】
最後に制御部４は、描画バッファ内の画像を表示部２へ転送するよう描画部３へ指示する（ステップＳＴ８）。画像の転送指示を受けた描画部３は、描画バッファ内の画像を表示部２へ転送し、表示部２が警告情報とアイコンと噴出しを表示する。
なお、受信情報の中に警告情報が含まれていなかった場合（ステップＳＴ３“ＮＯ”）、ステップＳＴ８において表示部２には何も表示されない。
【００２８】
以上より、実施の形態１によれば、情報表示装置１は、警告情報を表示可能な情報表示領域２１および当該警告情報の内容を図形化したアイコンを表示可能なアイコン表示領域２２を有する表示部２と、複数の警告情報がある場合、アイコン表示領域２２には当該複数の警告情報に相関する複数のアイコンを表示させ、情報表示領域２１には当該複数の警告情報を切り替えながら表示させる制御部４とを備える構成にした。アイコン表示領域２２に、複数の警告情報に相関する複数のアイコンを表示することにより、ドライバが発生している警告の総数を認識し易くなる。また、情報表示領域２１に、複数の警告情報を切り替えながら表示することにより、表示領域が小さくとも警告情報の詳細を表示できるようになり、ドライバが警告内容を把握し易くなる。さらに、ドライバがアイコンと警告情報の相関関係を学習することにより、アイコン表示領域２２に表示されたアイコンを見ただけで警告内容を把握できるようになる。従って、限られた表示領域に、警告の総数および内容をわかり易く表示する情報表示装置１を提供できる。
【００２９】
また、実施の形態１によれば、制御部４は、情報表示領域２１の警告情報と、アイコン表示領域２２の当該警告情報に相関するアイコンとの相関関係を表示させる構成にし、例えば、警告情報とアイコンとを噴出しでつなぐことにより相関関係を示すようにした。このため、ドライバが、アイコン表示領域２２のアイコンが示す情報内容を容易に学習でき、アイコン表示だけになった際にそのアイコンが何を意味するのか認識できる。
【００３０】
なお、上記実施の形態１では、情報表示領域２１に表示する警告情報とアイコン表示領域２２に表示するアイコンの相関関係を噴出しによって示したが、これに限定されるものではなく、例えば警告情報とアイコンをつなぐ線、矢印などの図形によって示してもよい。
【００３１】
また、情報表示領域２１に表示している警告情報が別の警告情報に切り替わる際のアニメーション（動画表示）によって相関関係を示してもよい。
図５に、アニメーションによって警告情報とアイコンの相関関係を示す場合の画面遷移例を示す。表示部２の情報表示領域２１に表示しているブレーキ異常警告情報Ａ１を次の警告情報である充電異常警告情報Ｂ１に切り替える場合、制御部４から描画部３に描画を指示することによって、ブレーキ異常警告情報Ａ１を情報表示領域２１からアイコン表示領域２２のブレーキ異常アイコンＡ２に向かって移動させながら徐々に縮小させていく。これにより、ブレーキ異常警告情報Ａ１がＡ１−１，Ａ１−２，Ａ１−３というふうに移動しながら徐々に縮小していきブレーキ異常アイコンＡ２に吸い込まれるようなアニメーションになり、ブレーキ異常警告情報Ａ１とブレーキ異常アイコンＡ２の相関関係が明確になる。
【００３２】
また、ブレーキ異常警告情報Ａ１から充電異常警告情報Ｂ１に表示を切り替える際に、充電異常アイコンＢ２をアニメーション化してもよい。充電異常アイコンＢ２をアニメーション化する場合、制御部４から描画部３への描画指示により、例えば、充電異常警告情報Ｂ１を、アイコン表示領域２２の充電異常アイコンＢ２から情報表示領域２１へ向かって移動させながら徐々に拡大させていく。これにより、充電異常警告情報Ｂ１と充電異常アイコンＢ２の相関関係が明確になる。
【００３３】
なお、情報表示領域２１に表示する警告情報をアニメーション化する場合、図４のステップＳＴ６において、制御部４が、図形サイズおよび描画位置を少しずつ変えた警告情報描画指示を繰り返し出力する。また、この場合はステップＳＴ７の相関関係（噴出しなど）の描画指示は出力されない。
【００３４】
さらに、ブレーキ異常警告情報Ａ１から充電異常警告情報Ｂ１に表示を切り替える際に、ブレーキ異常アイコンＡ２の表示態様を変更することによって、警告情報との相関関係を強調してもよい。制御部４は、例えば図５においてブレーキ異常警告情報Ａ１がブレーキ異常アイコンＡ２に吸い込まれるアニメーションの間、またはそのアニメーションの後、ブレーキ異常アイコンＡ２を点滅させたり、ブレーキ異常アイコンＡ２の輝度または色を変えたり、ブレーキ異常アイコンＡ２を回転させるなどのアニメーションにしたりする。これにより、ドライバは警告情報とアイコンの相関関係がさらに認識しやすくなる。
なお、警告情報とアイコンの相関関係を噴出しなどの図形によって示す場合にも、警告情報の切り替え時にアイコンを点滅させたり、輝度または色を変えたり、アニメーションにしたりしてよい。
【００３５】
また、上記実施の形態１では、情報表示領域２１の下側にアイコン表示領域２２を設けたが、他の場所にアイコン表示領域２２を設けてもよい。
さらに、警告情報の種類に応じて、アイコンを表示する領域を変えてもよい
図６に、複数のアイコン表示領域２２，２３を設けた表示部２ａの画面表示例を示す。表示部２ａには、車両の故障に関する警告情報（例えば、ブレーキ異常）のアイコンを表示するアイコン表示領域２２と、車両の周辺状況に関する警告情報（例えば、障害物検知）のアイコンを表示するアイコン表示領域２３と、これらの警告情報を切り替えながら表示する情報表示領域２１がある。制御部４は、車載ネットワーク６を通じて受信した警告情報の種類を判別して、その警告情報のアイコンを、アイコン表示領域２２またはアイコン表示領域２３に表示させる。
これにより、ドライバが、アイコンの表示位置に基づいて警告の種類を判断し易くなる。
【００３６】
また、上記実施の形態１では、情報表示領域２１に表示する警告情報が複数ある場合に一定時間ごとに表示を切り替える例を説明したが、他の方法によって切り替えてもよい。
図７に、情報表示装置１ａの構成例を示す。情報表示装置１ａには、ドライバを撮像する車内カメラ７と、撮像された画像を解析してドライバの視点を検出する視点検出部８とが追加されている。なお、情報表示装置１ａが車内カメラ７を持たず、車両に搭載された車内カメラから車載ネットワーク６を通じて撮像画像を取得してもよい。また、視点検出部８の視点検出方法は、撮像画像を使用した方法に限定されるものではない。
制御部４は、視点検出部８が検出した視点の情報に基づいて、ドライバが情報表示領域２１を一定時間または一定回数以上見たら既読と判断し、情報表示領域２１の警告情報の表示を終了させたり、別の警告情報へ切り替えさせたりする。
これにより、既読の警告情報によって情報表示領域２１が占有され、他の情報が表示されないことを防ぐことができる。
【００３７】
または、図７の情報表示装置１ａにおいて、制御部４は、視点検出部８が検出した視点の情報に基づいて、ドライバがアイコン表示領域２２に表示されている特定のアイコンを一定時間または一定回数以上見たらドライバの興味の有るアイコンと判断し、そのアイコンに相関する警告情報を情報表示領域２１に表示させてもよい。
【００３８】
実施の形態２．
上記実施の形態１では、情報表示領域２１とアイコン表示領域２２を１つの情報表示装置１で描画・表示する構成について説明した。これに対し、本実施の形態２では、情報表示領域２１とアイコン表示領域２２を別々の情報表示装置１により実現する構成を説明する。
【００３９】
図８は、本実施の形態２に係る情報表示装置１−１，１−２の構成を示すブロック図である。図９は、情報表示装置１−１の表示部２−１と、情報表示装置１−２の表示部２−２の配置例を示す図である。本実施の形態２では、表示部２−１を情報表示領域２１として使用し、表示部２−２をアイコン表示領域２２として使用する。
これに伴い、描画部３−１および制御部４−１が主に警告情報の描画・表示を担当し、描画部３−２および制御部４−２は主にアイコンの描画・表示を担当する。従って、制御部４−１は、警告情報の描画指示（図形描画命令またはビットマップ画像描画命令）の元になる図形データおよびテキストデータなどを保持している。一方、制御部４−２は、アイコンの描画指示（図形描画命令またはビットマップ画像描画命令）の元になる図形データなどを保持している。また、制御部４−１，４−２が保持しているこれらのデータには、相関関係にある警告情報とアイコンを識別するためのＩＤが付与されていることとする。
さらに、制御部４−１，４−２は、表示部２−１と表示部２−２の位置関係を規定した情報を保持している。
【００４０】
また、２つの情報表示装置１−１，１−２は、通信部５−１，５−２を備え、車載ネットワーク６を介して互いに通信可能であり、さらに車載ネットワーク６を介して車両側とも通信可能である。
【００４１】
図１０は、表示部２−１，２−２の画面表示例を示す図である。表示部２−１の情報表示領域２１にはブレーキ異常警告情報Ａ１が表示され、表示部２−２のアイコン表示領域２２にはブレーキ異常アイコンＡ２と、充電異常アイコンＢ２と、油圧低下アイコンＣ２が表示されている。さらに、表示部２−１の情報表示領域２１には、ブレーキ異常警告情報Ａ１とブレーキ異常アイコンＡ２の相関関係を示す接続線Ａ４が表示され、表示部２−２のアイコン表示領域２２にも同じく、ブレーキ異常警告情報Ａ１とブレーキ異常アイコンＡ２の相関関係を示す接続線Ａ５が表示されている。このように、表示部２−１，２−２が別体の場合、一組の接続線Ａ４，Ａ５によって相関関係が示される。
【００４２】
ここで、情報表示領域２１において接続線Ａ４の端部を描画する位置（以下、相関関係描画位置）をＡ６とし、アイコン表示領域２２において接続線Ａ５の端部を描画する相関関係描画位置をＡ７とする。情報表示装置１−１，１−２が協働して、相関関係描画位置Ａ６，Ａ７をつなぐような接続線Ａ４，Ａ５を描画・表示することによって、ブレーキ異常警告情報Ａ１とブレーキ異常アイコンＡ２の２画面にまたがって相関関係が示される。
【００４３】
次に、図１１のフローチャートを参照しながら、制御部４−１，４−２の動作を説明する。
制御部４−１，４−２は、通信部５−１，５−２を通じて車載ネットワーク６から種々の情報を受信すると（ステップＳＴ１０１，ＳＴ２０１）、続くステップＳＴ１０２〜ＳＴ１１０，ＳＴ２０２〜ＳＴ２１０の処理を実行する。ステップＳＴ１０２，ＳＴ２０２では、制御部４−１，４−２から描画部３−１，３−２へ描画バッファ初期化の指示を出力する。初期化の指示を受けた描画部３−１，３−２は、表示部２−１，２−２に表示する映像を描画するための各描画バッファ（不図示）を初期化する。
【００４４】
また、制御部４−１は、上記実施の形態１の制御部４と同様に、情報表示領域２１に表示する警告情報の切り替えをタイマイベントで管理することとし、一定時間ごとに発生するタイマイベントの都度（ステップＳＴ１１１）、描画部３−１に対して描画バッファ初期化の指示を出力する（ステップＳＴ１０２）。
【００４５】
続いて制御部４−１，４−２は、ステップＳＴ１０１，ＳＴ２０１で受信した種々の情報の中に、表示部２−１，２−２に表示すべき警告情報が含まれているかチェックする（ステップＳＴ１０３，ＳＴ２０３）。警告情報がない場合は（ステップＳＴ１０３“ＮＯ”，ＳＴ２０３“ＮＯ”）、ステップＳＴ１１０，ＳＴ２１０へ進む。
【００４６】
制御部４−２は、１つ以上の警告情報がある場合（ステップＳＴ２０３“ＹＥＳ”）、それらの警告情報に相関するアイコンを描画バッファ上へ描画するよう、描画部３−２へ指示する（ステップＳＴ２０４）。アイコンの描画指示を受けた描画部３−２は、描画バッファ上へアイコンを描画する。
【００４７】
一方、制御部４−１は、１つ以上の警告情報がある場合（ステップＳＴ１０３“ＹＥＳ”）、情報表示領域２１に表示する警告情報を１つ選択する（ステップＳＴ１０５）。選択方法は、上記実施の形態１と同様のため、説明を省略する。
続いて制御部４−１は、選択した警告情報を描画バッファ上へ描画するよう、描画部３−１へ指示する（ステップＳＴ１０６）。警告情報の描画指示を受けた描画部３−１は、描画バッファ上へ警告情報を描画する。
続いて制御部４−１は、ステップＳＴ１０５で選択した警告情報を識別するためのＩＤと、警告情報とアイコンの相関関係を示す接続線を描画するための相関関係描画位置（図１０に示すＡ６）の座標とを、警告情報識別情報として、通信部５−１を通じて情報表示装置１−２に送信する（ステップＳＴ１０７）。
【００４８】
制御部４−２は、通信部５−２を通じて警告情報識別情報を受信し（ステップＳＴ２０７）、その警告情報識別情報に含まれるＩＤに該当するアイコンを決定する。
続いて制御部４−２は、ＩＤに該当するアイコンの表示位置、つまり警告情報との相関関係を示す接続線を描画するための相関関係描画位置（図１０に示すＡ７）の座標を、通信部５−２を通じて情報表示装置１−１に送信する（ステップＳＴ２０８）。
続いて制御部４−２は、表示部２−２に表示するアイコンのうちのＩＤに該当するアイコンの表示位置（図１０に示すＡ７）から、受信した警告情報識別情報に含まれる座標（同図のＡ６）に向かう接続線（同図のＡ５）を描画するよう、描画部３−２に指示する（ステップＳＴ２０９）。接続線の描画指示を受けた描画部３−２は、描画バッファ上に接続線を描画する。
【００４９】
制御部４−１は、通信部５−１を通じてアイコンの表示位置の情報を受信する（ステップＳＴ１０８）。
続いて制御部４−１は、表示部２−１に表示する警告情報の相関関係描画位置（図１０に示すＡ６）から、受信したアイコンの表示位置（同図のＡ７）に向かう接続線（同図のＡ４）を描画するよう、描画部３−１に指示する（ステップＳＴ１０９）。接続線の描画指示を受けた描画部３−１は、描画バッファ上に接続線を描画する。
【００５０】
最後に制御部４−１，４−２は、描画バッファ内の画像を表示部２−１，２−２へ転送するよう描画部３−１，３−２へ指示する（ステップＳＴ１１０，ＳＴ２１０）。画像の転送指示を受けた描画部３−１は、描画バッファ内の画像を表示部２−１へ転送し、情報表示領域２１に警告情報と接続線を表示する。また、画像の転送指示を受けた描画部３−２は、描画バッファ内の画像を表示部２−２へ転送し、アイコン表示領域２２に１つ以上のアイコンと１つの接続線を表示する。
【００５１】
以上より、実施の形態２によれば、情報表示装置を２台使用する構成にし、一方の情報表示装置１−１は、警告情報を表示可能な情報表示領域２１を有する表示部２−１と、複数の警告情報がある場合に情報表示領域２１に当該複数の警告情報を切り替えながら表示させる制御部４−１とを備え、もう一方の情報表示装置１−２は、警告情報の内容を図形化したアイコンを表示可能なアイコン表示領域２２を有する表示部２−２と、複数の警告情報がある場合にアイコン表示領域２２に当該複数の警告情報に相関する複数のアイコンを表示させる制御部４−２とを備える構成にした。このため、上記実施の形態１と同様に、限られた表示領域に、警告の総数および内容をわかり易く表示する情報表示装置１−１，１−２を提供できる。
【００５２】
また、実施の形態２によれば、制御部４−１は、情報表示領域２１に表示する警告情報を制御部４−２へ通知し、当該警告情報に相関するアイコンのアイコン表示領域２２における表示位置を制御部４−２から受け付けて、当該表示位置に基づいて情報表示領域２１の警告情報とアイコン表示領域２２のアイコンとの相関関係を表示部２−１に表示させ、制御部４−２は、情報表示領域２１に表示する警告情報を制御部４−１から受け付けると、当該警告情報に相関するアイコンのアイコン表示領域２２における表示位置を制御部４−１へ通知し、相関関係を表示部２−２に表示させる構成にした。このため、情報表示領域２１とアイコン表示領域２２を別ユニットで構成した場合でも、情報表示装置１−１側で情報表示装置１−２に対する相関関係の描画・表示を行うことができる。同様に、情報表示装置１−２側で情報表示装置１−１に対する相関関係の描画・表示を行うことができる。
【００５３】
なお、上記実施の形態２では、相関関係を、情報表示領域２１とアイコン表示領域２２の両方に表示させる構成にしたが、いずれか一方に表示させる構成にしてもよい。
【００５４】
また、上記実施の形態２では、情報表示装置１−２の表示部２−２を液晶ディスプレイなどで構成して、アイコン表示領域２２にアイコンを表示する場合について説明したが、表示部２−２を液晶ディスプレイより安価なＬＥＤ（Ｌｉｇｈｔ  Ｅｍｉｔｔｉｎｇ  Ｄｉｏｄｅ）などで構成し、１つのアイコンを表示する代わりに１つのＬＥＤを点灯するようにしてもよい。
【００５５】
また、上記実施の形態２においても、上記実施の形態１と同様に、警告情報とアイコンの相関関係を噴出し、矢印などによって示してもよいし、情報表示領域２１に表示している警告情報を別の警告情報に切り替える際のアニメーションによって示してもよい。さらに、警告情報を切り替える際にアイコンの表示態様を変更することによって、相関関係を強調してもよい。
【００５６】
また、上記実施の形態２においても、図７の情報表示装置１ａのように、車内カメラ７および視点検出部８を追加して、ドライバの視点情報に基づいて警告情報の表示を切り替えるようにしてもよい。
【００５７】
さらに、上記実施の形態１，２では、情報表示領域２１に表示させる警告情報の設定数を１とし、警告情報が１つより多い場合に、情報表示領域２１が警告情報を１つずつ切り替えながら表示する構成にしたが、設定数は任意でよい。例えば設定数を２にした場合、警告情報が２つより多い場合は情報表示領域２１が警告情報を２つずつ切り替えながら表示し、警告情報が２つ以下なら情報表示領域２１はすべての警告情報を一度に表示する。
【００５８】
上記以外にも、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５９】
以上のように、本発明に係る情報表示装置および情報表示方法は、情報表示領域の情報を切り替えながら表示する一方で、アイコン表示領域には全てのアイコンを表示するようにしたので、自動車のインストルメントパネルに設置されてドライバに警告を通知する情報表示装置などに用いるのに適している。
もちろん、自動車のインストルメントパネル用に限定されるものではなく、家電製品の表示装置などに適用してもよい。
【符号の説明】
【００６０】
１，１ａ，１−１，１−２  情報表示装置、２，２ａ，２−１，２−２  表示部、３，３−１，３−２  描画部、４，４−１，４−２  制御部、５，５−１，５−２  通信部、６  車載ネットワーク、７  車内カメラ、８  視点検出部、２１  情報表示領域、２２，２３  アイコン表示領域、Ａ１  ブレーキ異常警告情報、Ａ２  ブレーキ異常アイコン、Ａ３  噴出し、Ａ４，Ａ５  接続線、Ａ６，Ａ７  相関関係描画位置、Ｂ１  充電異常警告情報、Ｂ２  充電異常アイコン、Ｂ３  噴出し、Ｃ１  油圧低下警告情報、Ｃ２  油圧低下アイコン、Ｃ３  噴出し。
【図１】
0005933851.tif 000002
【図２】
0005933851.tif 000003
【図３】
0005933851.tif 000004
【図４】
0005933851.tif 000005
【図５】
0005933851.tif 000006
【図６】
0005933851.tif 000007
【図７】
0005933851.tif 000008
【図８】
0005933851.tif 000009
【図９】
0005933851.tif 000010
【図１０】
0005933851.tif 000011
【図１１】
0005933851.tif 000012